(57)【要約】【課題】  発光装置の導光面に反射して出射した前斜め方向の光の光量を保ちながら、該照射光の照射方向の光学操作を行なうことができる発光装置及びそれを用いた洗面化粧台を提供する。【解決手段】  一対の第一主面２１ａ及び第二主面２１ｂを有し且つ一端部の端面を入光部４とすると共に入光部４とは反対側の端部を出光部３とした板状の導光部材２０と、入光部４に対向して設けられた光源１と、出光部３から出光した光を透過する透過部５１を有する照明カバー５とを備えている。出光部４側の端部に先端ほど第一主面２１ａから第二主面２１ｂに近づく曲面又は傾斜面からなる導光面３１が設けられている。入光部４を後方とすると共に出光部３を前方とすると定義した場合に、導光面３１に反射して第二主面２１ｂ前端部から出光した前斜め方向の光を、更に後方側へと曲がるように屈折させるレンズ部５５を備えている。【選択図】        図１
2010267547.tif 000002
【特許請求の範囲】
【請求項１】
一対の第一主面及び第二主面を有し且つ一端部の端面を入光部とすると共に入光部とは反対側の端部を出光部とした板状の導光部材と、該導光部材の入光部に対向して設けられた光源と、出光部から出光した光を透過する透過部を有し出光部を覆う照明カバーとを備え、前記導光部材の出光部側の端部に先端ほど第一主面から第二主面に近づく曲面又は傾斜面からなる導光面が設けられ、入光部を後方とすると共に出光部を前方とすると定義した場合に、導光面に反射して第二主面前端部から出光した前斜め方向の光を、更に後方側へと曲がるように屈折させるレンズ部を備えたことを特徴とする発光装置。
【請求項２】
洗面ボウルを有する洗面台上の洗面ボウル後方に鏡面部が立設配置された洗面化粧台であって、該鏡面部の上部に請求項１記載の発光装置が設けられ、該発光装置において出光部及びレンズ部が鏡面部よりも前方に突出し、照明カバーのレンズ部により屈折した光が、前記洗面ボウル又は鏡面部のいずれか、或いは、洗面ボウル及び鏡面部の両方を照射するようにしたことを特徴とする洗面化粧台。
【請求項３】
前記発光装置に設けられた出光部は、導光面を屈折透過して導光部材内の光を外部へと照射する第一出光部と、導光面に反射した光を外部へと照射する第二出光部とを備えて成る請求項２記載の洗面化粧台。
【請求項４】
前記照明カバーの前記透過部は、前記発光装置の第一出光部から外部へと照射する光を拡散させる光拡散部を備えて成る請求項３記載の洗面化粧台。
【発明の詳細な説明】
【技術分野】
【０００１】
本発明は、発光装置及びこれを用いた洗面化粧台に関するものである。
【背景技術】
【０００２】
従来から、発光装置が取り付けられた洗面化粧台として、例えば、特許文献１により示すものが知られている。この特許文献１により示される洗面化粧台は、照明となる発光装置が上部キャビネットの上部の前方に取り付けられたものである。この発光装置は、発光部分となる照明カバーや照明灯といった発光装置の大部分が上部キャビネットの前面より前方に突出するようにして取り付けられており、この大きく突出した部分によって、発光装置の下方にある洗面ボウルや上部キャビネットの鏡を照らして、使用者が洗面化粧台を使用しやすいような構成になっている。
【先行技術文献】
【特許文献】
【０００３】
【特許文献１】特開２００８−２７９１７１号公報
【発明の概要】
【発明が解決しようとする課題】
【０００４】
ところで、この特許文献１のような洗面化粧台は、上述したように、発光装置が上部キャビネットの上部の前方に大きく突出するように取り付けられたことで、突出部分の下方にある洗面ボウルや鏡を照らすことができて、使用性が向上するという利点が得られるものの、突出部分が大きいため、発光装置の照射時のみならず非照射時においても、この突出部分が一際目立ってしまい、意匠的に改善の余地があるものとなっていた。
【０００５】
そこで、本発明者らは、図９に示すように、板状の導光部材２０の後方側の（つまり、上部キャビネットの奥側の）端部の端面に対向するように光源１を配設すると共に、導光部材２０の前端を傾斜面を備えた出光部３とした発光装置Ａ´を開発した。
【０００６】
このように構成した発光装置Ａ´によれば、出光部３が導光部材２０の前端の僅かな部分のみであるので、出光部３を除く発光装置Ａ´の大部分を洗面化粧台の上部キャビネットの内部の見えない部位に埋設すると共に、出光部３のみを上部キャビネットから露出させるようにでき、洗面化粧台の見栄えを大幅に向上させることができた。
【０００７】
しかも、導光部材２０の前端を傾斜面（導光面３１）を備えた出光部３によって構成したのは、出光部３からの照射を第一出光部３２と第二出光部３３との異なる２方向に照射可能とするためである。すなわち、導光部材２０の前端を傾斜面（導光面３１）で構成することで、導光部材２０内を多重反射して伝播した光のうち、傾斜面（導光面３１）に対して全反射したものは第二出光部３３から出射し、傾斜面（導光面３１）に対して全反射条件を満たさないものは第一出光部３２から出射する。このように異なる２方向へ照射可能とすることで、導光部材２０の第一出光部３２から前方に向けて照射させて使用者の顔を効果的に照らしながら、他方の発光である第二出光部３３から前斜め下方に向けて照射させて、使用者の手元となる洗面化粧台の洗面ボウル側をも照らそうとした。
【０００８】
ところがこのような構成によれば、図９に示すように、光の照射は異なる２方向へ行なうことが可能となるものの、第二出光部３３から出光する光は鉛直下方向きに近い方向の光ではなく前斜め下方に向いた光にすぎないため、洗面ボウルを照らせず、洗面ボウルを効果的に照射できないものとなっていた。
【０００９】
ここで、より効果的な照明を行なうべく、第二出光部３３からの前斜め下方に向けた照射光の照射方向を、より鉛直下向き側に近づけるように光学操作をするには、上記傾斜面（導光面３１）の傾斜角度をより直角に近づけることが考えられる。
【００１０】
しかしながら、図１０に示すように、この傾斜面（導光面３１´）をより直角に近づけると、第二出光部３３´から出射する光は僅かに鉛直下方側に（つまり、洗面ボウル側に）近づくものの、依然として前斜め方向へ照射する光のままであり、その上、導光面３１´の角度を直角に近づけると、導光部材２０内を伝播する光の導光面３１´に対する入射角度が小さくなってしまうため、傾斜面（導光面３１´）に全反射して第二出光部３３´から出射する光量が大幅に減少してしまうという問題があった。
【００１１】
本発明は、上記事情に鑑みてなされたものであり、その目的とするところは、発光装置の導光面に反射して出射した前斜め方向の光の光量を保ちながら、該照射光の照射方向の光学操作を行なうことができる発光装置及びそれを用いた洗面化粧台を提供することにある。
【課題を解決するための手段】
【００１２】
上記課題を解決するために本発明の発光装置及び該発光装置を備えた洗面化粧台は以下の構成を備えている。
【００１３】
すなわち、請求項１に係る本発明の発光装置Ａは、一対の第一主面２１ａ及び第二主面２１ｂを有し且つ一端部の端面を入光部４とすると共に入光部４とは反対側の端部を出光部３とした板状の導光部材２０と、該導光部材２０の入光部４に対向して設けられた光源１と、出光部３から出光した光を透過する透過部５１を有し出光部３を覆う照明カバー５とを備えている。前記導光部材２０の出光部４側の端部に先端ほど第一主面２１ａから第二主面２１ｂに近づく曲面又は傾斜面からなる導光面３１が設けられている。入光部４を後方とすると共に出光部３を前方とすると定義した場合に、導光面３１に反射して第二主面２１ｂ前端部から出光した前斜め方向の光を、更に後方側へと曲がるように屈折させるレンズ部５５を備えている。
【００１４】
このように構成したことで、導光面３１に反射して第二主面２１ｂ前端部から出光した前斜め方向の光を、光量を低下させることなく、更に後方側へと曲がるように屈折させることができる。
【００１５】
また、請求項２に係る本発明の洗面化粧台７は、洗面ボウル７２を有する洗面台７１上の洗面ボウル７２後方に鏡面部７４が立設配置された洗面化粧台である。該鏡面部７４の上部に請求項１記載の発光装置Ａが設けられている。この発光装置Ａにおいて出光部３及びレンズ部５５が鏡面部７４よりも前方に突出している。照明カバー５のレンズ部５５により屈折した光が、前記洗面ボウル７２又は鏡面部７４のいずれか、或いは、洗面ボウル７２及び鏡面部７４の両方を照射するようにした。
【００１６】
このように構成したことで、洗面化粧台７において、発光装置Ａから出光する光により、洗面ボウル７２や鏡７３を照らして使用者の手元を照明することができる。
【００１７】
また、請求項３に係る本発明の洗面化粧台７は、請求項２に係る洗面化粧台において、前記発光装置Ａに設けられた出光部３は、導光面３１を屈折透過して導光部材２０内の光を外部へと照射する第一出光部３２と、導光面３１に反射した光を外部へと照射する第二出光部３３とを備えている。
【００１８】
このように構成したことで、洗面化粧台７において、第一出光部３２から外部へと照射する光により洗面化粧台７の使用者の顔周辺を照らしながら、第二出光部３３から外部へと照射する光により、洗面ボウル７２や鏡７３を照らして使用者の手元を照明することができる。
【００１９】
また、請求項４に係る本発明の洗面化粧台７は、請求項３に係る洗面化粧台７において、前記照明カバー５の前記透過部５１は、前記発光装置Ａの第一出光部３２から外部へと照射する光を拡散させる光拡散部５６を備えている。
【００２０】
このように構成したことで、洗面化粧台７の使用者の顔周辺を照らす第一出光部３２からの光により、使用者が眩しく感じるのを防ぐことができ、より一層使用性が向上した洗面化粧台７が提供できる。
【発明の効果】
【００２１】
本願発明によれば、発光装置の照射方向を第一出光部及び第二出光部の異なる２方向に向けて照射可能とした上で、この第二出光部からの光の光量を保ったまま、第二出光部から出射した前斜め方向の光をより後方側に屈曲させることができる。そのため、この発光装置を洗面化粧台に取り付けた場合においては、第一出光部からの光により使用者の顔周辺を照らしながら、第二出光部からの光により使用者の手元を効果的に照らすことができて、洗面化粧台の使用性を大きく向上させることができる。
【図面の簡単な説明】
【００２２】
【図１】本発明の一実施形態の要部側断面図である。
【図２】同上の一点鎖線で囲んだ部分の詳細図である。
【図３】同上の発光装置の分解側面図である。
【図４】同上の発光装置の分解斜視図である。
【図５】同上の照明カバーの斜視図である。
【図６】同上の全体斜視図である。
【図７】同上の斜め下方からみた要部斜視図である。
【図８】他の実施形態の要部側断面図である。
【図９】参考例の概略側面図である。
【図１０】参考例の概略側面図である。
【発明を実施するための形態】
【００２３】
以下、本発明について添付図面に基づいて説明する。
【００２４】
本発明の一実施形態に係る発光装置Ａを図１に示し、また図６は、この発光装置Ａを取り付けた洗面化粧台７での使用例を示している。この実施形態の洗面化粧台７は、洗面ボウル７２を有する洗面台７１の後部に鏡面部７４を立設配置し、この鏡面部７４の上部に発光装置Ａが取り付けられたものである。
【００２５】
この発光装置Ａは、図１及び図３に示すように、薄板状の導光部２と、導光部２のいずれかの端部の端面に対向して設けられた発光ダイオード（以下、ＬＥＤという）１１から成る光源１と、導光部２の出光部３を覆った照明カバー５とを備えている。本実施形態においてこの発光装置Ａは、薄板状の導光部２の一対の主面２１（第一主面２１ａ及び第二主面２１ｂ）が、第一主面２１ａを上方とし、且つ、第二主面２１ｂを下方とした状態で取り付けられる。
【００２６】
導光部２は、図４に示すように、薄板状の光透過性を有する透明な導光部材２０を、長手方向に複数連結させて（本実施形態では６個連結させている）構成されている。この導光部２は、平面視において入光部４及び出光部３のある辺がそれぞれ長辺２２となっており、入光部４及び出光部３に略直角な辺が短辺２３となっている。この長辺２２は短辺２３に比べて十分長くなっており、全体として平面視帯形状で且つ厚みの薄い薄板状の導光部２となっている。
【００２７】
導光部材２０は、図３に示すように、第一主面２１ａ及び第二主面２１ｂの外周を端面で囲んで構成されている。この導光部材２０は、後方の端部の（一端部の）端面が入光部４となっており、導光部材２０の入光部４とは反対側の端部である前端部が出光部３となっている。
【００２８】
本実施形態の導光部材２０は、導光部材２０の第二主面２１ｂに対して導光部材２０の第一主面２１ａがやや傾斜しており、この傾斜は、入光部４から出光部３に近づくほど下面と上面との距離が離れるような傾斜になっている。つまり、入光部４から出光部３にかけて徐々に板厚が厚くなるように構成されている。
【００２９】
本実施形態の出光部３は、図２及び図３などに示すように、導光部材２０の第一主面２１ａに設けられ、この第一主面から滑らかに連続した曲面で構成される第一出光部３２と、導光部材２０の第二主面２１ｂの前端部に位置する第二出光部３３とから構成されている。
【００３０】
第一出光部３２は、出光部３が形成されている側の端部の先端ほど、第一主面２１ａから第二主面２１ｂに近づくような（すなわち前端側ほど下方に位置するような）曲面で形成されている。この曲面に入射して全反射せずに屈折透過しながら出射する光が第一出光部３２から出射する光となっている。すなわち、導光部材２０内において多重反射を行ないながら伝播した光のうちの一部の光が、第一出光部３２から出射する光となる。一方、この前方端ほど下方に位置する曲面（すなわち、第一出光部３２）は、導光面３１ともなっている。この導光面３１は、該導光面３１に全反射した光を第二出光部３３に向けて導光可能となっている。
【００３１】
第二出光部３３は、第二主面２１ｂの前端部から導光部材２０の長手方向全長に亘って下方に向けて突条部３４を突設し、この突条部３４の下面に前端ほど上方に位置する凸曲面３５を形成したものである。この突条部３４の後部が段部３６となっており、この段部３６が後述するハウジング６の下当接部６３に当接して、ハウジング６に対して導光部材２０が位置決めできるような構成となっている。この第二出光部３３と第一出光部３２との境界は、導光部材２０の下面と略同じ高さ位置か、又は、導光部材２０の下面よりも下方に位置するようになっている。
【００３２】
このような導光部材２０に光源１からの光を入射させると、導光部材２０内において多重反射を行ないながら光が伝播し、出光部３に差し掛かった光のうち導光面３１に対して全反射条件を満たさない光は、第一出光部３２から出射する光となると共に、導光面３１に対して全反射条件を満たした光は第二出光部３３に向かって全反射して、そのうちの大部分が第二出光部３３から出射する光となる。すなわち、本実施形態の発光装置Ａは第一出光部３２と第二出光部３３との異なる２箇所から出射できるものであり、第一出光部３２から出射する光は、略水平方向前方に向けた光となると共に、第二出光部３３から出射する光は、前斜め下方に向けた光となる。
【００３３】
その上、第二出光部３３を凸曲面３５で構成したから、照明カバー５のレンズ部５５に入射する前において、第二出光部３３に凸曲面３５を設けない場合よりも、一層、鉛直下方側に近い方向に出射させることが可能となる。
【００３４】
光源１は、指向性のある点光源たるＬＥＤ１１を複数設けることで構成されている。詳しく説明すると、光源１は各ＬＥＤ１１を一定の間隔で離間させた状態で、導光部材２０の幅方向（長辺２２に平行な方向）に一直線状に並べて基板上に配置して構成されており、光軸が入光部４と出光部３とを結んだ方向と略平行な方向となるように、後方から前方に向けて（後方から出光部３に向けて）照射するようになっている。このような光源１が、複数の導光部材２０を長手方向に連ねて構成された導光部２の入光部４のある長辺２２に沿うように配設されている。このようにＬＥＤ１１で光源１を構成することにより、導光部材２０の一層の薄板化が図れることとなる。更に言えば、光源１にＬＥＤ１１を採用したことにより低消費電力で発光することができるので、ランニングコストの低コスト化を図ることが可能となる。なお、本実施形態のＬＥＤ１１はチップタイプのチップＬＥＤ１１を用いているが特に限定されない。また、ＬＥＤ１１の光の色も特に限定されるものではない。
【００３５】
上記のような構成の導光部材２０及び光源１は、図３等に示すように、ハウジング６に内装される。
【００３６】
このハウジング６は、下部ハウジング６１と上部ハウジング６８とに分割可能となっており、下部ハウジング６１と上部ハウジング６８とで囲まれる部分に導光部材２０と光源１とが内装されている。
【００３７】
下部ハウジング６１は、導光部材２０が載置される載置部６２の前端から下方に向けて下当接部６３を突設し、この下当接部６３の下端に第一係止部６４が設けられている。また、載置部６２の下方には、載置部６２に連設された第二係止部６５が設けられている。さらに下部ハウジング６１の後端には、上部ハウジング６８と連結される嵌合凹所６７が設けられており、嵌合凹所６７の奥部には係止突起６７１が設けられている。さらに、下部ハウジング６１の後部で且つ嵌合凹所６７の前方には光源収容部６６が設けられている。
【００３８】
上部ハウジング６８は、この上部ハウジング６８の前端に導光部材２０が前方に抜け落ちるのを防止する上当接部６８１が設けられていると共に、この上当接部６８１の上面には第三係止部６８２が突設されている。なお本実施形態の上部ハウジング６８において、少なくともこの上当接部６８１の前端部分は透明になっている。また、上部ハウジング６８の後部に前記嵌合凹所６７に嵌入する嵌合突起６８３が設けられており、この嵌合突起６８３の先端には前記嵌合凹所６７内の係止突起６７１に係止される被係止部６８４が設けられている。
【００３９】
このようなハウジング６内には、上述の通り導光部材２０と光源１とが内装される。
【００４０】
まず、下部ハウジング６１の載置部６２に導光部材２０を載置すると共に、下部ハウジング６１の前部にある下当接部６３に導光部材２０の突条部３４の後部にある段部３６を当接して位置決めする。次に、下部ハウジング６１の光源収容部６６に、光源１の光軸が導光部材２０の入光部４に向くように位置させた上で光源１を設置する。このような状態で、上部ハウジング６８の嵌合突起６８３を下部ハウジング６１の嵌合凹所６７に嵌入して、上部ハウジング６８を設置する。
【００４１】
以上のように、ハウジング６内に導光部材２０を配設した状態で、図２に示すように、本発明の照明カバー５が取り付けられる。
【００４２】
照明カバー５は、光透過性を有する透明材料であるアクリル樹脂で構成されている。照明カバー５は、上面部５２と正面部５３と下面部５４とが連設されて断面略コ字形状に形成されており、正面部５３と下面部５４の一部とが出光部３からの光を透過する透過部５１となっている。この照明カバー５は、図４及び図５に示すように、発光装置Ａの出光部３を全長に亘って覆う長さに形成されている。
【００４３】
正面部５３は、透過部５１を透過する光を拡散させる光拡散部５６が形成されており、本実施形態においては、シボ加工を施すことで透過する光を乱反射させるようになっている。なお、この光拡散部５６は、例えば、乳白色の透過板で構成したり、微細な凹凸を設けて構成されたりしたものであってもよい。
【００４４】
下面部５４には、図３に示すように、レンズ部５５が設けられている。このレンズ部５５は、導光部材２０の第二出光部３３の直下に長手方向（すなわち、図１並びに図２の紙面に直角な方向）の略全長に亘って設けられており、照明カバー５の下面から下方に向けて突出する凸レンズで構成されている。このレンズ部５５のレンズ中心部５７（すなわち、レンズ部５５の最も厚くなっている部位）は、図２に示すように、導光部材２０の第二出光部３３の発光部位における後方（又は、第二出光部３３の発光部位よりも後方）に位置するようになっており、導光部材２０の第二出光部３３の直下に位置するレンズ部５５の形状は、後方ほど厚みが厚くなるような滑らかな曲面で構成される。このレンズ部５５は、第二出光部３３からの光を透過させるに当たって、第二出光部３３から前斜め下方に向けて出射した出射光を、更に後方側に屈曲させる作用を奏する。つまり、この照明カバー５に設けたレンズ部５５によって、第二出光部３３から出射した光が、洗面ボウル７２又は鏡面部７４の鏡７３のいずれか、或いは、洗面ボウル７２及び鏡面部７４の鏡７３の両方を照射することができる。
【００４５】
さらに下面部５４には、下面部５４の開放端側の先端に下部ハウジング６１の第二係止部６５と係合する被第二係止部５４２が形成されると共に、この被第二係止部５４２と離れた部位に下部ハウジング６１の第一係止部６４と係合する被第一係止部５４１が形成されている。また、上面部５２には上部ハウジング６８の第三係止部６８２と係止する被第三係止部５２１が設けられている。
【００４６】
以上の構成の照明カバー５をハウジング６に取り付けると、上部ハウジング６８の第三係止部６８２と上面部５２の被第三係止部５２１とが係合し、下部ハウジング６１の第二係止部６５と照明カバー５の下面部５４の被第二係止部５４２とが係合し、下部ハウジング６１の第一係止部６４と照明カバー５の下面部５４の被第一係止部５４１とが係合するようになる。このとき、導光部材２０は、上部ハウジング６８の上当接部６８１と下部ハウジング６１の載置部６２と下当接部６３とで位置決めされると共に、照明カバー５の弾性力によって挟持固定されるため、導光部材２０が抜け落ちたり、がたついたりするのが防止される。
【００４７】
このように構成された発光装置Ａは、上述の通り、洗面化粧台７に装着される。
【００４８】
本実施形態の洗面化粧台７は、図６に示すように、洗面ボウル７２を備えた洗面台７１と、この洗面台７１上の洗面ボウル７２後方に立設配置された鏡面部７４と、鏡面部７４の前面に配設された鏡７３とを備えており、この鏡面部７４の上部に上記発光装置Ａが取り付けられている。
【００４９】
洗面ボウル７２は、洗面ボウル７２の上部に設けられた給水栓７０から吐出された湯水を受ける部分であり、上方に開口した椀形状に形成されている。そして洗面ボウル７２の最低部には、排水管に連通する排水口部が設けられている。
【００５０】
また、洗面台７１の下部は（詳しくは洗面ボウル７２の下方は）収納部７９となっている。この収納部７９は、内部に小物を収納可能で且つスライド自在な引き出し部７８を備えている。
【００５１】
この洗面台７１の後端から鏡面部７４が立設されている。この鏡面部７４は、バックボード部７４ａとキャビネット本体７６と扉体７７と鏡７３とで構成されており、バックボード部７４ａ上部に設けられた矩形箱状のキャビネット本体７６の前部に扉体７７が開閉自在に枢支されている。そして、この扉体７７の前面に鏡７３が配設されている。また、キャビネット本体７６の上部には、上記発光装置Ａが収容される装置収容部７５が設けられており、鏡７３が配された扉体７７の上端は、この装置収容部７５の底部よりも僅かに低い部位に位置するように形成されている。なお、このキャビネット本体７６の内部は、棚板（図示せず）や縦仕切り板（図示せず）で仕切って収納部（図示せず）が形成されている。
【００５２】
このような装置収容部７５に上記発光装置Ａを装着すると、図２及び図７に示すように、発光装置Ａの出光部３及び照明カバー５のレンズ部５５を含む前端部のみが鏡面部７４の鏡７３よりも前方に突出するようになっている。つまり、この発光装置Ａの出光部３及び照明カバー５の前端部以外の部分は、鏡面部７４のキャビネット本体７６と扉体７７とによって外部から見えないように覆われており、鏡７３より前方に突出する突出部分がほんの僅かな範囲となるため、突出部分が目立たないものとなる。
【００５３】
しかも、導光部材２０は薄板状に形成されたものであるため、出光部３の正面視においては、左右に細長い線状の外観を呈するものとなり、従来にない外観を呈する洗面化粧台７とすることができる。
【００５４】
このような構成の洗面化粧台７の発光装置Ａから光を照射させると、第一出光部３２から出射する光により洗面化粧台７の使用者の顔周辺を照射できる。さらに、第二出光部３３から前斜め下方に出射した後に照明カバー５のレンズ部５５により鉛直下向き側に屈折させた光により、使用者の手元となる洗面化粧台７の洗面ボウル７２を効果的に照らすことができ、洗面化粧台７の使用性を大幅に向上させる。なお、レンズ部５５により後方側に屈折させた第二出光部３３からの光は、鉛直下向き方向よりも鏡７３側に向いた方向を照らす光も含まれるが、発光装置Ａが設置された部位から鏡７３側を照らせば、鏡７３により反射した光により、間接的に洗面ボウル７２を照らすことができ、いずれにしても手元となる洗面ボウル７２を照らす光として寄与することができるものとなる。
【００５５】
その上、照明カバー５の正面部５３に光拡散部５６を設けたから、使用者の顔周辺を照らす第一出光部３２からの光が、拡散されてやわらかな光となり、使用者が眩しく感じるのを防止することができる。
【００５６】
また、照明カバー５のレンズ部５５を集光可能な曲率で構成し、第二出光部３３からの光を屈折させながら集光させるようにして、照明光の輝度を高めるようにしてもよい。
【００５７】
次に、他の実施形態について図８に基づいて説明する。なお、本実施形態は図１乃至図７に示す実施形態と大部分において同じであるため、同じ部分においては同符号を付して説明を省略し、主に異なる部分について説明する。
【００５８】
本実施形態の照明カバー５のレンズ部５５は、照明カバー５の下面部５４に上方に向けて突出した凸レンズから構成されており、下面部５４の下面は平坦な面で形成されている。このレンズ部５５における前後方向の中間部であるレンズ中心部５７（すなわち、レンズ部５５の最も厚くなっている部位）は、第二出光部３３の発光部位よりも後方に位置しており、具体的には、導光部材２０の第二出光部３３の突条部３４の後方の段部３６と略重なるように位置している。
【００５９】
このような構成によっても、第一の実施形態の照明カバー５と同じように、洗面化粧台７の使用者の手元を効果的に照らすことができる。その上、照明カバー５の下面が平面となっているため、より一層突出部分を目立たないものとすることができる。
【００６０】
上記の第一及び第二の実施形態において、発光装置Ａの導光部材２０は薄板状の透明な部材で構成されているが、例えば、アクリル樹脂、ガラス、ポリカーボネート樹脂、エポキシ樹脂、シリコーン樹脂等を好適に使用することができる。また、照明カバー５の材質もアクリル樹脂に限定されるものではなく、上記材質を好適に使用することが可能である。
【００６１】
また、第一及び第二の実施形態において、上記レンズ部５５はいずれも滑らかな曲面の凸レンズで構成したが、曲面である必要もなく、例えば、この曲面の曲率を直線で近似したものであってもよい。さらに第一出光部３２（導光面３１）が曲面で形成され、また第二出光部３３が凸曲面３５で形成された例で説明したが、この第一出光部３２（導光面３１）並びに第二出光部３３は、直線状の傾斜面で近似した場合であっても同様の効果を得ることができるものである。
【００６２】
さらに、上記実施形態において第二出光部３３は、突条部３４に凸曲面３５を設けた構成で説明したが、この突条部３４に凸曲面３５を設けた構成は必須のものではなく、突条部３４を設けない平面（すなわち、導光部材２０の下面が一様な平面である構成）であってもよいものとする。
【符号の説明】
【００６３】
１      光源
１１    ＬＥＤ
２      導光部
２０    導光部材
２１ａ  第一主面
２１ｂ  第二主面
３      出光部
３１    導光面
３２    第一出光部
３３    第二出光部
３４    突条部
３５    凸曲面
３６    段部
４      入光部
５      照明カバー
５１    透過部
５２    上面部
５３    正面部
５４    下面部
５５    レンズ部
５６    光拡散部
６      ハウジング
６１    下部ハウジング
６８    上部ハウジング
７      洗面化粧台
７３    鏡
７４    鏡面部
７５    装置収容部
７７    扉体
Ａ      発光装置
【図１】
2010267547.tif 000003
【図２】
2010267547.tif 000004
【図３】
2010267547.tif 000005
【図４】
2010267547.tif 000006
【図５】
2010267547.tif 000007
【図６】
2010267547.tif 000008
【図７】
2010267547.tif 000009
【図８】
2010267547.tif 000010
【図９】
2010267547.tif 000011
【図１０】
2010267547.tif 000012